(57)【要約】【課題】色調安定性、液位視認性に優れるとともに、臭気を抑制した液体漂白剤組成物を提供すること。【解決手段】（Ａ）成分：過酸化水素と、（Ｂ）成分：キサンテン系色素、キノリン系色素、及びピレン系色素からなる群から選択される少なくとも１種の色素と、（Ｃ）成分：フェノール系ラジカルトラップ剤を液体漂白剤組成物の総質量に対して０〜０．２質量％と、を含む液体漂白剤組成物。【選択図】なし【特許請求の範囲】
【請求項１】
（Ａ）成分：過酸化水素と、
（Ｂ）成分：キサンテン系色素、キノリン系色素、及びピレン系色素からなる群から選択される少なくとも１種の色素と、
（Ｃ）成分：フェノール系ラジカルトラップ剤を液体漂白剤組成物の総質量に対して０〜０．２質量％と、を含む液体漂白剤組成物。
【請求項２】
さらに水を含み、
前記水の含有量が、液体漂白剤組成物の総質量に対して３０質量％以上である、請求項１に記載の液体漂白剤組成物。
【請求項３】
請求項１又は２の液体漂白剤組成物が、容器本体を備える容器に収容されてなり、
前記容器本体の少なくとも一部は、４００〜７００ｎｍの波長領域における光透過率が１０％以上である液体漂白剤組成物製品。
【発明の詳細な説明】
【技術分野】
【０００１】
本発明は、液体漂白剤組成物に関する。
【背景技術】
【０００２】
液体漂白剤組成物は、被洗物に付着した汚れを漂白する効果を有している。なかでも、漂白剤として過酸化水素を含む組成物は、色柄物にも使用できる手軽さから現在広く使用されている。
環境負荷の低減を目的として、プラスチック製パウチ入り液体漂白剤組成物が普及してきている。通常、内容物はパウチからプラスチックボトルに詰め替えられてから使用される。
特に大容量の口栓付きのパウチでは、一度に全ての液を詰め替えられないため、ボトルの液位を確認しながら詰め替える必要がある。詰め替えて繰り返し使用するプラスチックボトルには、その側面に液残量を確認するための窓部が形成されていることがある。この窓部は透明又は半透明である。そのため、液体漂白剤組成物を着色することにより、窓部から液を視認しやすくなる（液位視認性が高まる）。液位視認性が高まることにより、詰替え時や使用の際に液量を容易に確認できる。また、塗布洗浄の際にも液の広がりを視認できるため使用性も向上できる。
【０００３】
過酸化水素を含む液体漂白剤組成物では、保管中に退色する傾向がある。例えば特許文献１の液体洗浄剤組成物に配合されている青色１号などでは、漂白剤と配合すると保存後に脱色してしまう。
そのため、液体漂白剤組成物の退色を防止する（色調安定性を保つ）ことが望まれていた。
こうした問題に対し、特許文献２は、過酸化水素と、フェノール系ラジカルトラップ剤と、染料と、界面活性剤を含有する液体漂白剤組成物について提案している。特許文献２の液体漂白剤組成物によれば、色調安定性を発揮できる。
【先行技術文献】
【特許文献】
【０００４】
【特許文献１】特許第５３３１３３２号公報
【特許文献２】特開２００３−２６８３９８号公報
【発明の概要】
【発明が解決しようとする課題】
【０００５】
しかしながら、特許文献２の組成物では、フェノール系ラジカルトラップ剤に起因する独特の臭気があるという問題がある。
本発明は上記事情に鑑みてなされたものであり、色調安定性、液位視認性に優れるとともに、臭気を抑制した液体漂白剤組成物を提供することを目的とする。
【課題を解決するための手段】
【０００６】
本発明者らは以下の液体漂白剤組成物が、上記課題を解決できることを見出した。
すなわち本発明は、以下の態様を有する。
［１］  （Ａ）成分：過酸化水素と、
（Ｂ）成分：キサンテン系色素、キノリン系色素、及びピレン系色素からなる群から選択される少なくとも１種の色素と、
（Ｃ）成分：フェノール系ラジカルトラップ剤を液体漂白剤組成物の総質量に対して０〜０．２質量％と、を含む液体漂白剤組成物。
［２］  さらに水を含み、
前記水の含有量が、液体漂白剤組成物の総質量に対して３０質量％以上である、［１］に記載の液体漂白剤組成物。
［３］  ［１］又は［２］の液体漂白剤組成物が、容器本体を備える容器に収容されてなり、
前記容器本体の少なくとも一部は、４００〜７００ｎｍの波長領域における光透過率が１０％以上である液体漂白剤組成物製品。
【発明の効果】
【０００７】
本発明の液体漂白剤組成物によれば、色調安定性、液位視認性に優れるとともに、異臭の発生を抑制できる。
【図面の簡単な説明】
【０００８】
【図１】本発明の液体漂白剤組成物製品の一例を示す斜視図である。
【図２】本発明の液体漂白剤組成物製品の他の例を示す斜視図である。
【図３】本発明の液体漂白剤組成物製品の他の例を示す斜視図である。
【図４】本発明の液体漂白剤組成物製品の他の例を示す斜視図である。
【発明を実施するための形態】
【０００９】
≪液体漂白剤組成物≫
本発明の液体漂白剤組成物は、（Ａ）成分及び（Ｂ）成分を含む。
＜（Ａ）成分＞
（Ａ）成分は、過酸化水素である。
（Ａ）成分の含有量は、液体漂白剤組成物の総質量に対して０質量％超〜５質量％未満が好ましく、０．１〜４．５質量がより好ましく、１〜４質量％がさらに好ましい。
（Ａ）成分の含有量が上記下限値以上であると、洗浄力を向上しやすい。
（Ａ）成分の含有量が上記上限値以下であると、色調安定性を向上しやすい。
【００１０】
＜（Ｂ）成分＞
（Ｂ）成分は、キサンテン系色素、キノリン系色素、及びピレン系色素からなる群から選択される少なくとも１種の色素である。
キサンテン系色素とは、キサンテン骨格を有する色素のことである。例えば、下記一般式（Ｂ１−１）、式（Ｂ１−２）で表される化合物が挙げられる。
【００１１】
【化１】
2019172768.tif 000002
【００１２】
式（Ｂ１−１）中、Ｘは＝Ｏ、＝ＮＲ４１、又は＝Ｎ＋Ｒ４２Ｒ４３・Ｒ４６ＣＯ２−であり、Ｙは、−ＣＯ２Ｈ、−ＣＯ２Ｎａ、−ＣＯ２Ｋ、−ＳＯ３Ｈ、又は−ＳＯ３Ｎａ、であり、Ｚは−ＯＨ、−ＯＮａ、−ＯＫ、又はＮＲ４４Ｒ４５であり、Ｒ１１、Ｒ１２、Ｒ１３はそれぞれ独立に、−Ｂｒ、−Ｃｌ、−Ｉ、−ＣＯ２Ｈ、−ＣＯ２Ｎａ、−ＣＯ２Ｋ、−ＳＯ３Ｈ、又は−ＳＯ３Ｎａであり、Ｒ４１、Ｒ４２、Ｒ４３、Ｒ４４、Ｒ４５、はそれぞれ独立に、水素原子、炭素数１〜１０の直鎖又は分岐鎖のアルキル基、又は置換基で置換されていてもよいフェニル基であり、Ｒ４６は炭素数１〜２０の直鎖又は分岐鎖のアルキル基、又は置換基で置換されていてもよいフェニル基であり、ａは０〜４の整数であり、ｂは０〜３の整数であり、ｃは０〜３の整数である。
フェニル基の置換基としては、炭素数１〜１０のアルキル基、−ＣＯ２Ｈ、−ＣＯ２Ｎａ、−ＣＯ２Ｋ、−ＳＯ３Ｈ、又は−ＳＯ３Ｎａ等が挙げられる。
【００１３】
【化２】
2019172768.tif 000003
【００１４】
式（Ｂ１−２）中、Ｖ、Ｗはそれぞれ独立に、−ＯＨ、又は−ＯＮａ、−ＯＫ、であり、Ｒ１４、Ｒ１５、Ｒ１６はそれぞれ独立に、−Ｂｒ、−Ｃｌ、又は−Ｉであり、ｄは０〜３の整数であり、ｅは０〜４の整数であり、ｆは０〜３の整数である。
【００１５】
キサンテン系色素としては、例えば赤色１０６号（Ｃ．Ｉ．Ａｃｉｄ  Ｒｅｄ  ５２）、赤色３号（Ｃ．Ｉ．Ａｃｉｄ  Ｒｅｄ  ５１）、赤色２１４号（Ｃ．Ｉ．Ｓｏｌｖｅｎｔ  Ｒｅｄ  ４９）、赤色２１５号（Ｃ．Ｉ．Ｓｏｌｖｅｎｔ  Ｒｅｄ  ４９）、赤色２１８号（Ｃ．Ｉ．Ｓｏｌｖｅｎｔ  Ｒｅｄ  ４８）、赤色２２３号（Ｃ．Ｉ．Ｓｏｌｖｅｎｔ  Ｒｅｄ  ４３）、だいだい色２０１号（Ｃ．Ｉ．Ｓｏｌｖｅｎｔ  Ｒｅｄ  ７２）、だいだい色２０６号（Ｃ．Ｉ．Ｓｏｌｖｅｎｔ  Ｒｅｄ  ７３）、赤色１０４号の（１）（Ｃ．Ｉ．Ａｃｉｄ  Ｒｅｄ  ９２）、赤色１０５号の（１）（Ｃ．Ｉ．Ａｃｉｄ  Ｒｅｄ  ９４）、赤色２１３号（Ｃ．Ｉ．Ｂａｓｉｃ  Ｖｉｏｌｅｔ  １０）、赤色２３０号の（１）（Ｃ．Ｉ．Ａｃｉｄ  Ｒｅｄ  ８７）、赤色２３０号の（２）（Ｃ．Ｉ．Ａｃｉｄ  Ｒｅｄ  ８７）、赤色２３１号（Ｃ．Ｉ．Ａｃｉｄ  Ｒｅｄ  ９２）、赤色２３２号（Ｃ．Ｉ．Ａｃｉｄ  Ｒｅｄ  ９４）、だいだい色２０７号（Ｃ．Ｉ．Ａｃｉｄ  Ｒｅｄ  ９５）、黄色２０１号（Ｃ．Ｉ．Ａｃｉｄ  Ｙｅｌｌｏｗ  ７３）、黄色２０２号の（１）（Ｃ．Ｉ．Ａｃｉｄ  Ｙｅｌｌｏｗ  ７３）、黄色２０２号の（２）（Ｃ．Ｉ．Ａｃｉｄ  Ｙｅｌｌｏｗ  ７３）、赤色４０１号（Ｃ．Ｉ．Ａｃｉｄ  Ｖｉｏｌｅｔ  ９）が挙げられる。なかでも、赤色１０６号（Ｃ．Ｉ．Ａｃｉｄ  Ｒｅｄ  ５２）、赤色３号（Ｃ．Ｉ．Ａｃｉｄ  Ｒｅｄ  ５１）、赤色２１４号（Ｃ．Ｉ．Ｓｏｌｖｅｎｔ  Ｒｅｄ  ４９）、赤色２１５号（Ｃ．Ｉ．Ｓｏｌｖｅｎｔ  Ｒｅｄ  ４９）、赤色２１８号（Ｃ．Ｉ．Ｓｏｌｖｅｎｔ  Ｒｅｄ  ４８）、赤色２２３号（Ｃ．Ｉ．Ｓｏｌｖｅｎｔ  Ｒｅｄ  ４３）、だいだい色２０１号（Ｃ．Ｉ．Ｓｏｌｖｅｎｔ  Ｒｅｄ  ７２）、だいだい色２０６号（Ｃ．Ｉ．Ｓｏｌｖｅｎｔ  Ｒｅｄ  ７３）が好ましく、赤色１０６号（Ｃ．Ｉ．Ａｃｉｄ  Ｒｅｄ  ５２）、赤色３号（Ｃ．Ｉ．Ａｃｉｄ  Ｒｅｄ  ５１）が特に好ましい。
ここで「Ｃ．Ｉ．」とは、「カラーインデックス」の略である。
具体的な構造を以下に示す。
【００１６】
【化３】
2019172768.tif 000004
【００１７】
【化４】
2019172768.tif 000005
【００１８】
【化５】
2019172768.tif 000006
【００１９】
赤色２１４号は式Ｂ１−１−１で表される化合物である。赤色２１５号は式Ｂ１−１−２で表される化合物である。赤色２１８号は式Ｂ１−２−１で表される化合物である。赤色２２３号は式Ｂ１−２−２で表される化合物である。だいだい色２０１号は式Ｂ１−２−３で表される化合物である。だいだい色２０６号は式Ｂ１−２−４で表される化合物である。赤色１０４号の（１）は式Ｂ１−１−３で表される化合物である。赤色１０５号の（１）は式Ｂ１−１−４で表される化合物である。赤色２１３号は式Ｂ１−１−５で表される化合物である。赤色２３０号の（１）は式Ｂ１−１−６で表される化合物である。赤色２３０号の（２）は式Ｂ１−２−５で表される化合物である。赤色２３１号は式Ｂ１−２−６で表される化合物である。赤色２３２号は式Ｂ１−１−７で表される化合物である。だいだい色２０７号は式Ｂ１−１−８で表される化合物である。黄色２０１号は式Ｂ１−２−７で表される化合物である。黄色２０２号の（１）は式Ｂ１−１−９で表される化合物である。黄色２０２号の（２）は式Ｂ１−２−８で表される化合物である。赤色４０１号は式Ｂ１−１−１０で表される化合物である。赤色１０６号は式Ｂ１−１−１１で表される化合物である。赤色３号は式Ｂ１−１−１２で表される化合物である。
【００２０】
キノリン系色素とは、キノリン骨格を有する色素のことである。例えば、下記一般式（Ｂ２）で表される化合物が挙げられる。
【００２１】
【化６】
2019172768.tif 000007
【００２２】
式（Ｂ２）中、Ｒ２１、Ｒ２２、Ｒ２３はそれぞれ独立に、−ＳＯ３Ｈ、又は−ＳＯ３Ｎａであり、ｇは０〜３の整数であり、ｈは０〜３の整数であり、ｉは０〜４の整数である。
【００２３】
キノリン系色素としては、例えば黄色２０３号（Ｃ．Ｉ．Ａｃｉｄ  Ｙｅｌｌｏｗ  ３）、黄色２０４号（Ｃ．Ｉ．Ｓｏｌｖｅｎｔ  Ｙｅｌｌｏｗ  ３３）が挙げられる。なかでも、黄色２０３号（Ｃ．Ｉ．Ａｃｉｄ  Ｙｅｌｌｏｗ  ３）が好ましい。具体的な構造を以下に示す。
【００２４】
【化７】
2019172768.tif 000008
【００２５】
黄色２０４号は式Ｂ２−１で表される化合物である。黄色２０３号は式Ｂ２−２で表される化合物である。
【００２６】
ピレン系色素とは、ピレン骨格を有する色素のことである。例えば、下記一般式（Ｂ３）で表される化合物が挙げられる。
【００２７】
【化８】
2019172768.tif 000009
【００２８】
式（Ｂ３）中、Ｒ３１、Ｒ３２、Ｒ３３、Ｒ３４はそれぞれ独立に、−ＯＨ、−ＯＮａ、−ＯＫ、−ＳＯ３Ｈ、又はＳＯ３Ｎａであり、ｊは０〜３の整数であり、ｋは０〜２の整数であり、ｌは０〜２の整数であり、ｍは０〜３の整数である。
【００２９】
ピレン系色素としては、例えば緑色２０４号（Ｃ．Ｉ．Ｓｏｌｖｅｎｔ  Ｇｒｅｅｎ  ７）が挙げられる。
具体的な構造を以下に示す。
【００３０】
【化９】
2019172768.tif 000010
【００３１】
緑色２０４号は式Ｂ３−１で表される化合物である。
【００３２】
各色素の構造は「法定色素ハンドブック」（日本化粧品工業連絡会編）、染料便覧（有機合成化学協会編）に記載されている。
（Ｂ）成分は、１種単独で用いてもよく、２種以上を適宜組み合わせて用いてもよい。
【００３３】
（Ｂ）成分の含有量は、液体漂白剤組成物の総質量に対して０．１〜１００質量ｐｐｍが好ましく、０．５〜３０質量ｐｐｍがより好ましく、１〜１０質量ｐｐｍがさらに好ましい。
（Ｂ）成分の含有量が上記下限値以上であると、液位視認性を向上しやすい。
（Ｂ）成分の含有量が上記上限値以下であると、被洗物に着色しにくい。
【００３４】
＜（Ｃ）成分＞
（Ｃ）成分は、フェノール系ラジカルトラップ剤である。
（Ｃ）成分としては、例えばｐ−メトキシフェノール、ジブチルヒドロキシトルエン等が挙げられる。
（Ｃ）成分は、１種単独で用いてもよく、２種以上を適宜組み合わせて用いてもよい。
【００３５】
（Ｃ）成分の含有量は、液体漂白剤組成物の総質量に対して０〜０．２質量％であり、０〜０．１質量％が好ましく、０〜０．０５％がより好ましく、０〜０．００１％が特に好ましい。
（Ｃ）成分の含有量が上記上限値以下であると、臭気を抑えられる。
【００３６】
＜任意成分＞
本発明の液体漂白剤組成物は、上記（Ａ）〜（Ｃ）成分以外に、液体漂白剤組成物に通常用いられる任意成分を含有してもよい。任意成分としては、例えばノニオン界面活性剤、アニオン界面活性剤、両性界面活性剤、半極性界面活性剤、カチオン界面活性剤等の界面活性剤、ｐＨ調整剤、キレート剤、有機溶剤、緩衝剤、香料、溶媒、ハイドロトロープ剤、漂白活性化剤が挙げられる。
【００３７】
［ノニオン界面活性剤］
ノニオン成分としては、従来、液体洗浄剤に用いられているものであればよく、例えば、ポリオキシアルキレン型ノニオン界面活性剤、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキル（又はアルケニル）アミンオキシド、硬化ヒマシ油のアルキレンオキシド付加体、糖脂肪酸エステル、Ｎ−アルキルポリヒドロキシ脂肪酸アミド、アルキルグリコシド等が挙げられる。これらのノニオン界面活性剤は、１種単独で用いられてもよいし、２種以上が組み合わされて用いられてもよい。
上記のなかでも、液体漂白剤の安定性、洗浄力等の点から、ポリオキシアルキレンアルキルエーテルが好ましく、下記式（Ｉ）で表されるポリオキシアルキレンアルキルエーテルが特に好ましい。
ポリオキシアルキレン型ノニオン界面活性剤としては、例えば、下記一般式で表される化合物（以下、化合物（Ｉ）ということがある）が挙げられる。
Ｒ１−Ｘ−［（ＥＯ）ｐ／（ＰＯ）ｑ］−Ｒ２  ・・・（Ｉ）
［（Ｉ）式中、Ｒ１は炭化水素基であり、−Ｘ−は２価の連結基であり、Ｒ２は水素原子、アルキル基又はアルケニル基である。ＥＯはオキシエチレン基であり、ｐはＥＯの平均繰り返し数を表す数である。ＰＯはオキシプロピレン基であり、ｑはＰＯの平均繰り返し数を表す数である。］
Ｒ１は炭素数が６〜２２であることが好ましく、８〜２２がより好ましく、１０〜１８がさらに好ましく、１２〜１６が特に好ましい。
Ｒ１の炭化水素基は、直鎖であっても分岐鎖であってもよく、不飽和結合を有していても有していなくてもよい。
−Ｘ−としては、−Ｏ−、−ＣＯＯ−、−ＣＯＮＨ−等が挙げられ、−Ｏ−が好ましい。−Ｘ−が−Ｏ−のとき、Ｒ２としては、水素原子が好ましい。
ｐは３〜２０であることが好ましく、４〜１８がさらに好ましく、５〜１２が特に好ましい。ｑは０〜６であることが好ましく、０〜３であることがさらに好ましい。また、ｐとｑの合計は５〜２０であることが好ましい。
ｑが０でない場合、つまり化合物（Ｉ）がＥＯとＰＯとの両方を有する場合、ＥＯとＰＯとは、ブロック状に付加されていてもよく、ランダム状に付加されていてもよい。ＥＯとＰＯとをブロック状に付加する方法としては、例えば、エチレンオキシドを導入した後にプロピレンオキシドを導入する方法、プロピレンオキシドを導入した後にエチレンオキシドを導入する方法が挙げられる。エチレンオキシド及びプロピレンオキシドの付加モル数分布は特に限定されない。
ノニオン界面活性剤は、１種単独で用いてもよく、２種以上を適宜組み合わせて用いてもよい。
【００３８】
一つの局面において、液体漂白剤組成物を洗剤と共に用いる助剤として使用することがある。この際、ノニオン界面活性剤の含有量は、液体漂白剤組成物の総質量に対して０．１〜３０質量％が好ましく、０．５〜２０質量％がより好ましく、１〜１５質量％がさらに好ましい。
ノニオン界面活性剤の含有量が上記下限値以上であると、洗浄力を向上しやすい。
ノニオン界面活性剤の含有量が上記上限値以下であると、液の外観安定性を向上しやすい。
【００３９】
他の局面において、液体漂白剤組成物を漂白剤入りの洗剤として単独で使用することがある。この際、ノニオン界面活性剤の含有量は、液体漂白剤組成物の総質量に対して５〜６５質量％が好ましく、１０〜６０質量％がより好ましく、２０〜５５質量％がさらに好ましい。
ノニオン界面活性剤の含有量が上記下限値以上であると、洗浄力を向上しやすい。
ノニオン界面活性剤の含有量が上記上限値以下であると、液の外観安定性を向上しやすい。
【００４０】
［アニオン界面活性剤］
アニオン界面活性剤としては、例えばポリオキシアルキレンアルキルエーテル硫酸又はその塩、直鎖アルキルベンゼンスルホン酸又はその塩、α−オレフィンスルホン酸塩、直鎖又は分岐鎖のアルキル硫酸エステル塩、アルキル基を有するアルカンスルホン酸塩、α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。アニオン界面活性剤は、１種単独で用いられてもよいし、２種以上が組み合わされて用いられてもよい。
ポリオキシアルキレンアルキルエーテル硫酸又はその塩としては、具体的には下記一般式（ＩＩ）で表される化合物が好ましい。
Ｒ３−［（ＥＯ）ｍ／（ＰＯ）ｎ］−ＳＯ３−Ｍ＋・・・（ＩＩ）
［式（ＩＩ）中、Ｒ３は炭素数８〜２０の直鎖状もしくは分岐鎖状のアルキル基である。ＥＯはオキシエチレン基を表し、ＰＯはオキシプロピレン基を表す。ｍは、ＥＯの平均繰り返し数を表し、０以上の数である。ｎは、ＰＯの平均繰り返し数を表し、０〜６の数である。０＜ｍ＋ｎである。Ｍ＋は対カチオンである。］
ポリオキシアルキレンアルキルエーテル硫酸塩としては、炭素数１０〜２０の直鎖もしくは分岐鎖のアルキル基を有し、平均１〜５モルのアルキレンオキシドが付加されたものが好ましい。
Ｒ３の炭素数は、１０〜２０が好ましく、１２〜１４がより好ましい。
ＥＯの平均繰り返し数は、０〜５が好ましく、０．５〜３がより好ましい。
ＰＯの平均繰り返し数は０〜３が好ましく、０がより好ましい。
Ｍ＋としては、ナトリウムイオン、カリウムイオン等のアルカリ金属イオン、マグネシウムイオン等のアルカリ土類金属イオン、モノエタノールアミン、ジエタノールアミン等のアルカノールアミンから誘導されるカチオン等が挙げられる。
（ＥＯ）ｍ／（ＰＯ）ｎにおいて、ＥＯとＰＯはランダム付加であってもよくブロック付加であってもよい。
市販品を用いてもよいし、公知の合成方法で製造してもよい。公知の製造方法としては、ポリオキシアルキレンアルキルエーテルに、無水硫酸を反応させるか、クロルスルホン酸を反応させる方法が挙げられる。
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルカンスルホン酸塩としては、アルキル基の炭素数が１０〜２０のものが好ましく、１４〜１７のものがより好ましい。中でも、前記アルキル基が２級アルキル基であるもの（すなわち２級アルカンスルホン酸塩）が特に好ましい。
α−スルホ脂肪酸エステル塩としては、脂肪酸残基の炭素数が１０〜２０のものが好ましい。
これらの中でも、洗浄力と安定性に優れる点で、ポリオキシアルキレンアルキルエーテル硫酸又はその塩、直鎖アルキルベンゼンスルホン酸又はその塩、アルカンスルホン酸塩、及びα−オレフィンスルホン酸塩が好ましい。
アニオン界面活性剤は、１種単独で用いてもよく、２種以上を適宜組み合わせて用いてもよい。
【００４１】
アニオン界面活性剤の含有量は、液体漂白剤組成物の総質量に対して０〜４０質量％が好ましく、０．２〜２０質量％がより好ましく、０．５〜１０質量％がさらに好ましく、１〜５質量％が特に好ましい。
含有量が前記範囲内であれば、対象物に直接塗布するのに適した粘度及びより良好な保存安定性を有する漂白剤組成物を得ることができる。
［両性界面活性剤］
両性界面活性剤としては、アルキルカルボキシベタイン、アルキルスルホベタイン、アルキルヒドロキシスルホベタイン、アルキルアミドベタイン、イミダゾリニウムベタイン等が挙げられる。
【００４２】
［半極性界面活性剤］
半極性界面活性剤としては、アミンオキシド型界面活性剤であるラウリルジメチルアミンオキシド、ラウリン酸アミドプロピルジメチルアミンオキシド等が挙げられる。
【００４３】
［カチオン界面活性剤］
カチオン界面活性剤としては、例えば、アルキルトリメチルアンモニウム塩、ジアルキルジメチルアンモニウム塩、アルキルベンジルジメチルアンモニウム塩、アルキルピリジニウム塩等が挙げられ、アルキルトリメチルアンモニウム塩が好ましい。これらの塩の対イオンとしては、ハロゲンイオンとしてフッ化物イオン、塩化物イオン、臭化物イオン、ヨウ化物イオン等が挙げられ、アルキル硫酸イオンとして、炭素数１〜３のアルキル基を有するものが好ましく、例えばメチル硫酸イオン、エチル硫酸イオン等が挙げられる。カチオン界面活性剤は、設備への腐食性の点から、メチル硫酸塩、エチル硫酸塩として用いることが好ましい。
両性界面活性剤、半極性界面活性剤、カチオン界面活性剤の含有量の合計は、液体漂白剤組成物の総質量に対して０〜１０質量％が好ましく、０．２〜５質量％がより好ましく、０．３〜３質量％がさらに好ましく、０．５〜２質量％が特に好ましい。
【００４４】
一つの局面において、液体漂白剤組成物を洗剤と共に用いる助剤として使用することがある。この際、界面活性剤の総質量は、液体漂白剤組成物の総質量に対して０．５〜３０質量％が好ましく、１〜２０質量％がより好ましく、３〜１５質量％がさらに好ましい。
界面活性剤の総質量が上記下限値以上であると、洗浄力を向上しやすい。
界面活性剤の総質量が上記上限値以下であると、外観安定性を向上しやすい。
【００４５】
他の局面において、液体漂白剤組成物を漂白剤入りの洗剤として単独で使用することがある。この際、界面活性剤の総質量は、液体漂白剤組成物の総質量に対して５〜６５質量％が好ましく、１０〜６０質量％がより好ましく、３０〜６０質量％がさらに好ましい。
界面活性剤の総質量が上記下限値以上であると、洗浄力を向上しやすい。
界面活性剤の総質量が上記上限値以下であると、外観安定性を向上しやすい。
【００４６】
液体漂白剤組成物の粘度は、２０〜３００ｍＰａ・ｓが好ましく、３０〜２００ｍＰａ・ｓがより好ましい。
粘度が上記下限値以上であると、容器への詰め替えの際泡立ちが抑制され、液位視認性が向上する。
粘度が上記上限値以下であると、液の使用性が向上しやすい。
なお、本明細書において粘度は、測定対象を２５℃とし、Ｂ型（ブルックフィールド型）粘度計を用いて測定される値を意味する。
【００４７】
［ｐＨ調整剤］
ｐＨ調整剤としては、例えば、水酸化ナトリウム、塩酸、硫酸、水酸化ナトリウム、水酸化カリウム、モノエタノールアミン、ジエタノールアミン、トリエタノールアミン、アンモニア等が挙げられる。
【００４８】
［キレート剤］
キレート剤としては、例えば１−ヒドロキシエタン−１，１−ジホスホン酸等のホスホン酸系キレート剤が挙げられる。
キレート剤の含有量は、液体漂白剤組成物の総質量に対し、０．０１〜５質量％が好ましく、０．０５〜３質量％がより好ましく、０．１〜１質量％がさらに好ましい。
キレート剤の含有量が上記範囲内であると、保存後の容器の膨らみを抑制しやすい。
【００４９】
［香料］
香料原料単体、又は、香料原料と香料用溶剤と香料安定化剤等とからなる香料組成物を含むものであり、衣料用などの液体洗浄剤、液体漂白洗浄剤、液体漂白剤等に通常用いられる香料を配合することができる。
香料の含有量は、液体漂白剤組成物の総質量に対して０．０１〜１．０質量％が好ましい。
【００５０】
［ハイドロトロープ剤］
ハイドロトロープ剤としては、水混和性有機溶剤；トルエンスルホン酸、キシレンスルホン酸、安息香酸塩、尿素などが挙げられる。
ハイドロトロープ剤の含有量は、液体漂白剤組成物の総質量に対して０．０１〜１５質量％が好ましい。
水混和性有機溶剤としては、エタノール、１−プロパノール、２−プロパノール、１−ブタノール等のアルコール類、プロピレングリコール、ブチレングリコール、ヘキシレングリコール等のグリコール類、ジプロピレングリコール等のポリグリコール類、ジエチレングリコールモノブチルエーテル（ブチルカルビトール）、ジエチレングリコールジメチルエーテル、３−メトキシ−３−メチル−１−ブタノール等のアルキルエーテル類、フェノキシエタノール、ジエチレングリコールモノフェニルエーテル、トリエチレングリコールモノフェニルエーテル等の芳香族エーテル類等が挙げられ、これらの中でも、エタノール、プロピレングリコール、ジエチレングリコールモノブチルエーテル（ブチルカルビトール）、３−メトキシー３−メチル−１−ブタノール、フェノキシエタノール、ジエチレングリコールモノフェニルエーテルが好ましい。
水混和性有機溶剤は、１種単独で用いられてもよく、２種以上が組み合わされて用いられてもよい。水混和性有機溶剤の含有量は、液体漂白剤組成物の総質量に対して、０．１〜１５質量％が好ましい。なお、本発明において、水混和性有機溶剤とは、２５℃のイオン交換水１Ｌに２０ｇ以上溶解する有機溶剤をいう。
【００５１】
［緩衝剤］
緩衝剤としては、クエン酸、ホウ酸化合物、例えば四ホウ酸ナトリウム等が挙げられる。
緩衝剤の含有量は、液体漂白剤組成物の総質量に対し、０．０１〜２質量％が好ましい。
【００５２】
［漂白活性化剤］
漂白活性化剤は、それ自体は漂白効果を持たないが、液体漂白剤組成物中で過酸化水素と反応して酸化力の高い有機過酸に変わる物質である。
漂白活性化剤としては、公知の化合物を用いることができる。例えば、テトラアセチルエチレンジアミン；炭素数１〜１８、好ましくは炭素数８〜１２のアルカノイル基を有するアルカノイルオキシベンゼンスルホン酸又はその塩；炭素数１〜１８、好ましくは炭素数８〜１２のアルカノイル基を有するアルカノイルオキシ安息香酸又はその塩が挙げられる。このうち、４−デカノイルオキシ安息香酸（ＤＯＢＡ）、４−ドデカノイルオキシベンゼンスルホン酸ナトリウム（ＤＯＢＳ）、４−ノナノイルオキシベンゼンスルホン酸ナトリウム（ＮＯＢＳ）が好ましい。
これら漂白活性化剤は１種単独で用いてもよく、２種以上を併用してもよい。
漂白活性化剤の含有量は、液体漂白剤組成物の総質量に対して０．１〜２質量％が好ましく、０．２〜１．５質量％がより好ましく、０．４〜１質量％がさらに好ましい。
漂白活性化剤の含有量が上記下限値以上であると、液体漂白剤組成物における黄ばみに対する漂白力が高まる。
漂白活性化剤の含有量が上記上限値以下であると、外観安定性の向上が図れる。
【００５３】
［溶媒］
溶媒としては水が挙げられる。
本発明の液体漂白剤組成物は、水溶液であることが好ましく、エマルジョンを形成していないことが好ましい。
水の含有量は、液体漂白剤組成物の総質量に対して３０質量％以上が好ましく、３５〜９５質量％がより好ましい。
本発明の液体漂白剤組成物の各成分の含有量の合計は、１００質量％を超えない。
【００５４】
本発明の液体漂白剤組成物の２５℃におけるｐＨは、１〜８が好ましく、２〜７がより好ましく、２．５〜６がさらに好ましい。
液体漂白剤組成物のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー株式会社製）により測定される値を意味する。
【００５５】
≪液体漂白剤組成物の製造方法≫
本発明の液体漂白剤組成物は、例えば、成分（Ａ）と成分（Ｂ）と、必要に応じて（Ｃ）成分と任意成分とを混合し、必要に応じて所定のｐＨになるように調整することによって製造できる。
【００５６】
≪液体漂白剤組成物の使用方法≫
本発明の漂白剤組成物の使用方法は、例えば、液体漂白剤組成物を単独でまたは公知の洗浄剤や柔軟剤とともに水に入れて洗浄液とし、この洗浄液に被洗物を入れ、洗濯機で洗浄する方法、液体漂白剤組成物をあらかじめ水に溶解し、これに被洗物を浸漬し、その後洗濯機で洗浄する方法等が挙げられる。また、液体漂白剤組成物を被洗物に塗布した後、適宜放置し、その後、通常の洗濯を行ってもよい。
被洗物としては、例えば、衣料、布帛、シーツ、カーテン、絨毯等の繊維製品が挙げられる。
洗浄液中の液体漂白剤組成物の含有量は、特に限定されない。水に対する液体漂白剤組成物の添加量は、例えば、水１０Ｌ当たり、液体漂白剤組成物２〜１５ｍＬとされる。
【００５７】
≪液体漂白剤組成物製品≫
本発明の液体漂白剤組成物製品は、本発明の液体漂白剤組成物が、容器本体を備える容器に収容されてなる。
図１は本発明の液体漂白剤組成物製品の一例を示す斜視図である。図１の液体漂白剤組成物製品１は、液体漂白剤組成物１０を収容する略直方体の外観の容器本体１００と、着脱可能に取り付けられたキャップ１１０とを備える。
容器本体の少なくとも一部の光透過率は１０％以上である。なお、本明細書において、光透過率は４００〜７００ｎｍの波長領域における値であり、測定には、島津製作所製ＳｏｌｉｄＳｐｅｃ−３７００を用いた。
例えば図１において、容器本体１００は、内部を視認可能な窓部２０を側面に有する。窓部２０は容器本体１００の縦方向（高さ方向）に沿って形成されている。窓部２０は、光透過率が１０％以上である。
窓部２０の面積は、容器の全表面積に対し、０．５面積％以上が好ましい。
【００５８】
図２の液体漂白剤組成物製品２は、液体漂白剤組成物１０ａを収容する正面視で八角形の扁平な外観の容器本体１００ａと、着脱可能に取り付けられたキャップ１１０ａとを備える。
容器本体１００ａは、内部を視認可能な窓部２０ａを側面に有する。窓部２０ａは容器本体１００ａの縦方向（高さ方向）に沿って形成されている。窓部２０ａは、光透過率が１０％以上である。
窓部２０ａの面積は、容器の全表面積に対し、０．５面積％以上が好ましい。
【００５９】
図３の液体漂白剤組成物製品３は、液体漂白剤組成物１０ｂを収容する略円柱状の外観の容器本体１００ｂと、着脱可能に取り付けられたキャップ１１０ｂとを備える。
容器本体１００ｂは、全体の光透過率が１０％以上である。
図４の液体漂白剤組成物製品４は、液体漂白剤組成物１０ｂを収容する略円柱状の外観の容器本体１００ｂと、着脱可能に取り付けられたキャップ１１０ｂとを備える図３の液体漂白剤組成物製品３に、透明部分１３０を有するラベル１２０を設けたものである。
容器本体１００ｂに透明部分１３０を有するラベル１２０を設けると、透明部分１３０が窓部となり、透明部分１３０から内部を視認できる。透明部分１３０は容器本体１００ｂの縦方向（高さ方向）に沿って形成されている。
【００６０】
容器は可撓性容器であることが好ましい。「可撓性」とは、容器内の圧力が変化した際に、容器が破損せずに柔軟に変形することをいう。
可撓性容器としては、プラスチック製容器、紙製容器、金属製容器等が挙げられる。
プラスチック製容器の構成材料としては、ポリエチレン（ＰＥ）、ポリプロピレン（ＰＰ）、ポリエチレンテレフタレート（ＰＥＴ）、ポリブチレンテレフタレート（ＰＢＴ）、ポリシクロへキシレンジメチレンテレフタレート（ＰＣＴ）、ポリアセタール（ＰＯＭ）、ポリエチレンナフタレート（ＰＥＮ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられる。
金属製容器の構成材料としては、アルミニウム等が挙げられる。
その他、紙に金属箔を貼り合せた積層体や、プラスチックに紙を貼り合せた積層体、プラスチックに金属箔を貼り合せた積層体なども用いることができる。
【実施例】
【００６１】
以下に実施例を用いて本発明をさらに詳しく説明するが、本発明はこれら実施例に限定されるものではない。
表１に示す組成に従い各成分を混合して各液体漂白剤組成物を得た。
表中の配合量の単位は、（Ｂ）成分は「質量ｐｐｍ」、（Ｂ）成分以外は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００６２】
＜（Ａ）成分＞
・ａ−１：過酸化水素（３５質量％工業用過酸化水素、三菱ガス化学株式会社製）。
＜（Ｂ）成分＞
・ｂ−１：赤色１０６号（Ｃ．Ｉ．Ａｃｉｄ  Ｒｅｄ  ５２）、癸巳化成株式会社製、商品名「赤色１０６号」。
・ｂ−２：赤色３号（Ｃ．Ｉ．Ａｃｉｄ  Ｒｅｄ  ５１）、癸巳化成株式会社製、商品名「赤色３号」。
・ｂ−３：黄色２０３号（Ｃ．Ｉ．Ａｃｉｄ  Ｙｅｌｌｏｗ  ３）、中央合成化学製、商品名「キノリン  イエロー  ＷＧ−Ｇ  ＣＯＮＣ」。
・ｂ−４：緑色２０４号（Ｃ．Ｉ．Ｓｏｌｖｅｎｔ  Ｇｒｅｅｎ  ７）、癸巳化成株式会社製、商品名「緑色２０４号」。
・ｂ’−１：青色２号（Ｃ．Ｉ．Ａｃｉｄ  Ｂｌｕｅ  ７４）、ダイワ化成製、商品名「青色２号」。
・ｂ’−２：青色１号（Ｃ．Ｉ．Ｆｏｏｄ  Ｂｌｕｅ  ２）、興洋化学株式会社製、食用青色１号（ブリリアントブルーＦＣＦ）。
具体的な構造を以下に示す。
【００６３】
【化１０】
2019172768.tif 000011
【００６４】
＜（Ｃ）成分＞
・ｃ−１：ｐ−メトキシフェノール（川口化学工業社製、商品名「ＭＱ−Ｆ」）。
＜任意成分＞
・ＡＥ６：ポリオキシエチレンアルキルエーテル、ライオン株式会社製、商品名「レオックスＣＬ−６０」；上記式（Ｉ）中、Ｒ１が炭素数１２及び炭素数１４の直鎖状のアルキル基であり、Ｒ２が水素原子であり、ＸがＯであり、ｐが６であり、ｑが０である化合物。
・ＡＥ９：ポリオキシエチレンアルキルエーテル、ライオン株式会社製、商品名「レオックスＣＬ−９０」；上記式（Ｉ）中、Ｒ１が炭素数１２及び炭素数１４の直鎖状のアルキル基であり、Ｒ２が水素原子であり、ＸがＯであり、ｐが９であり、ｑが０である化合物。
・ＡＥＳ：ポリオキシアルキレンアルキルエーテル硫酸ナトリウム塩（ポリオキシエチレンラウリルエーテル硫酸ナトリウム、ＥＯの平均付加モル数２）（新日本理化株式会社製、商品名「シノリン  ＳＰＥ―１２５０」）。
・ＡＰＡＸ：ラウリン酸アミドプロピルジメチルアミンオキシド、クラリアント社製、商品名「ＧＥＮＡＭＩＮＯＸ  ＡＰ」；下記式（ＩＩＩ）において、Ｒ４が炭素数１１の直鎖状アルキル基であり、Ｒ５及びＲ６がメチル基であり、ｑが３である化合物。
【００６５】
【化１１】
2019172768.tif 000012
【００６６】
・ラウリルジメチルエチルアンモニウムエチルサルフェート（第一工業製薬株式会社製、商品名「カチオーゲンＥＳ−Ｌ」；下記式（ＩＶ）において、Ｒ７はドデシル基、Ｒ８はメチル基、Ｒ９はメチル基、Ｒ１０はエチル基、Ｚ１−は硫酸エチルイオンである。
【００６７】
【化１２】
2019172768.tif 000013
【００６８】
・キレート剤：１−ヒドロキシエタン−１，１−ジホスホン酸（ＨＥＤＰ）、イタルマッチ社製、商品名「デイクエスト２０１０」。
・フェニルジグリコール：ジエチレングリコールモノフェニルエーテル、日本乳化剤株式会社製、商品名「ＰｈＤＧ（９０）」。
・フェノキシエタノール：三洋化成株式会社製、商品名「ニューポールＥＦＰ」。
・緩衝剤：クエン酸、関東化学株式会社製、試薬「クエン酸」。
・香料：特開２０１１−２２５７４３号公報の表１〜６に記載の香料組成物Ａ。
・漂白活性化剤：４−ラウロイルオキシベンゼンスルホン酸ナトリウム（ＯＢＳ）、特開２０１１−５７７４５号公報の段落０１１４に記載の手順で合成したもの。
・ＰｒｏｘｅｌＩＢ：ポリヘキサメチレンビグアニド、ロンザジャパン株式会社製、商品名「Ｐｒｏｘｅｌ  ＩＢ」；下記式（Ｖ）の化合物。
【００６９】
【化１３】
2019172768.tif 000014
【００７０】
・ｐＨ調整剤：水酸化ナトリウム：旭硝子株式会社製。硫酸：日産化学工業株式会社製。
・水：精製水。
【００７１】
＜色調安定性の評価＞
透明のガラス製瓶に、各例の液体漂白剤組成物１００ｇをそれぞれ充填し、蓋を閉めて密封した。この瓶を室温にて１ヶ月静置して保存した。
かかる保存の後、液の外観を目視で観察し、下記評価基準に従って、液体漂白剤組成物の色調の安定性を目視で評価した。
［色調の安定性判断基準］
○：色調が保持されていた。
×：色調が明らかに悪化した。
【００７２】
＜液位視認性の評価＞
室温にて１ヶ月静置して保存した後の各例の液体漂白剤組成物を口栓付きのパウチに詰め、液位を視認可能な窓部をもつ容器に注ぎ込み、液位の視認性を下記評価基準に従って目視で評価した。
［液位の視認性評価］
○：液面の判別が容易である（一見して判別できる）。
△：液面の判別がやや容易である。
×：液面の判別が容易でない（一見して判別できない）。
【００７３】
＜臭気の評価＞
評価基準として、以下に示す組成を有するモデル液体漂白剤組成物を用いた。
組成：過酸化水素３％、ＡＥ６  １％、ＡＥＳ２％、ＡＰＡＸ１．５％、ＨＥＤＰ０．６％、フェニルジグリコール０．８％、クエン酸０．５％、Ｐｒｏｘｅｌ  ＩＢ０．０５％、香料０．０１％、水酸化ナトリウム  ｐＨ５．９に調整するための必要量、精製水  バランス。
前記のモデル液体漂白剤組成物（標準品）と各例の漂白剤組成物１００ｇをそれぞれガラス製瓶に入れ、瓶口の臭気を官能で比較した。その結果を下記の評価基準に従い、評価した。
［臭気の評価］
○：製品のいやな臭気が標準品と同等以下に感じられる。
×：製品のいやな臭気が標準品より強く感じられる。
【００７４】
【表１】
2019172768.tif 000015
【００７５】
本発明を適用した実施例１〜７は、色調安定性、液位視認性、組成物の臭気において優れていた。
（Ｂ）成分以外の色素を使用した比較例１、２及び４は、色調安定性、液位視認性で劣っていた。（Ｃ）成分を多く配合した比較例３は組成物の臭気において劣っていた。
【符号の説明】
【００７６】
１、２、３、４  液体漂白剤組成物製品
１０、１０ａ、１０ｂ  液体漂白剤組成物
２０、２０ａ  窓部
１００、１００ａ，１００ｂ  容器本体
１１０，１１０ａ，１１０ｂ  キャップ
１２０  ラベル
１３０  透明部分
【図１】
2019172768.tif 000016
【図２】
2019172768.tif 000017
【図３】
2019172768.tif 000018
【図４】
2019172768.tif 000019